(57)【特許請求の範囲】
【請求項１】
少なくとも２つの平板状の光学素子が積層された光学部品の製造方法であって、
前記それぞれの光学素子は、光路方向前後に設けられた前後面、及び前記前後面を取り囲む側面を有し、
前記前後面には、光が通過する光路域と、光が通過しない非光路域を有し、
隣接する前記光学素子の対向する前記前後面の少なくとも一方には、前記側面につながる凹部が設けられており、
以下のステップを備えたことを特徴とする光学部品の製造方法。
（１）前記平板状の光学素子が少なくとも２つ取り出せる光学材料を少なくとも２つ準備し、予め定められた順序に配置するステップ、
（２）隣接する前記光学素子の前記前後面を互いに圧接するステップ、
（３）前記ステップ（２）の後に、前記凹部に対して、前記側面からエネルギー硬化型の接着剤を充填するステップ、
（４）前記ステップ（３）の後に、前記接着剤に硬化エネルギーを加えて、前記接着剤を硬化させるステップ、
（５）前記ステップ（４）の後に、前記光学材料を切断して個々の光学部品を得るステップ。
【請求項２】
前記凹部は、前記前後面の非光路域に設けられていることを特徴とする請求項１に記載の光学部品の製造方法。
【請求項３】
前記凹部は、少なくとも１つの溝から成り、前記溝の幅は０.００５mm〜０．５mm、深さは０．００１mm〜０．１mmであることを特徴とする請求項１又は請求項２のいずれか１項に記載の光学部品の製造方法。
【請求項４】
前記接着剤は、常温における粘度が１０〜１０５mＰａ・ｓであることを特徴とする請求項１乃至請求項３のいずれか１項に記載の光学部品の製造方法。
【請求項５】
前記少なくとも２つの平板状の光学素子の前記光路面を圧接する圧力は、１０４Ｐａ〜１０８Ｐａであることを特徴とする請求項１乃至請求項４のいずれか１項に記載の光学部品の製造方法。
【請求項６】
少なくとも１つの前記平板状の光学素子に、反射防止膜を施すことを特徴とする請求項１乃至請求項５のいずれか１項に記載の光学部品の製造方法。
【発明の詳細な説明】
【技術分野】
【０００１】
本発明は、光通信装置などで使用される光学部品の製造方法に関する。
【背景技術】
【０００２】
一般に、光通信用に使用される光学部品や光モジュールとしては、光コネクタ、光アイソレータや光信号を送信するためのＬＤ（Ｌａｓｅｒ  ｄｉｏｄｅ）モジュールや光信号を受信するためのＰＤ（Ｐｈｏｔｏ  ｄｉｏｄｅ）モジュールが知られている。
【０００３】
光アイソレータは、光ファイバの戻り光を防止するために光通信システムで用いられる部品である。戻り光は、進行している光が、接触している材料間の屈折率の不整合またはファイバの位置ずれやモード不整合などによりおこり得る。戻り光はシステム性能の低下をもたらし、レーザ光等の送信源に悪影響を及ぼす。
【０００４】
偏光依存型光アイソレータでは、ファラデー回転子を挟み込むために偏光ガラスシートのような偏光子が用いられる。光が第１の偏光子を通り、次いでファラデー回転子を通り、次いで第２の偏光子を通って進む。そのアイソレータが、光ファイバとレンズの間、もしくは２つのレンズの間に配置される。
【０００５】
光源から発せられた信号光は第１の偏光子を通過する。次いで、第１の偏光子を通過した光の偏光はファラデー回転子により４５°回転した後に、第１の偏光子に対して、偏光方向が４５°ずらされた第２の偏光子を通過して出てくる。逆方向の場合、戻り光は、第２の偏光子によって偏光した後に、ファラデー回転子により同方向に４５°回転して、第１の偏光子に対して９０°ずれた偏光になる。したがって、信号が光源に戻されることはない。
【０００６】
偏光依存型アイソレータに対して、偏光無依存型の光アイソレータも知られている。偏光無依存型アイソレータは、くさび形または平板形の複屈折材料、あるいは薄膜コーティングが施されたプリズムとすることができ、２つのビームスプリッタの間に挟み込まれたファラデー回転子を有する。
【０００７】
ファラデー回転子は一般に、磁場を印加して結晶を光学活性化するように、ガーネット結晶片を磁石で囲むことによりつくられる。このタイプのガーネットは非ラッチ型と称される。別のタイプのファラデー回転子は、永久磁化されており外部磁場を必要としない。このタイプのガーネットはラッチ型と称されている。
【０００８】
偏光依存型光アイソレータ及び偏光無依存型光アイソレータの両者の様々な構成部品は一般に、機械的組立部品によるかあるいは高分子材接着剤によって接合される。また、他の代替方法として、大きな材料シートの接着剤による一括集成すなわち積層板化する方法も知られている。
【０００９】
光アイソレータのような光学部品は、上記のようにファラデー回転子や偏光子などの光学素子を組み合わせることにより構成される。光学素子の固定には固定部材や接着剤が用いられる。例えば、特開２００７−３０９９６７号公報には、光学接着剤を用いて光学素子同士を接着し、一体化した光アイソレータが開示されている。光学接着剤は、光学素子の光通過部の面を含む面全体に亘って均一な厚さで塗布される。
【００１０】
この光アイソレータは、所定の面に反射防止膜を形成した第１の偏光子、第２の偏光子、両面に反射防止膜を形成したファラデー回転子を用意する、光学接着剤を第１および第２の偏光子のファラデー回転子側の面およびファラデー回転子の両面に塗布する、接着剤を塗布した面同士を合わせ、さらに第１および第２の偏光子の偏光面を適正に位置合わせして所定の圧力を加える、組み合わされた３枚の光学素子からなるブロックを所定の時間、所定の温度に加熱して接着剤を熱硬化させる、という手順で製造される。
【００１１】
光学接着剤としては、接着硬化時の収縮が小さく、熱による歪の影響が少なく、安定性の高い熱硬化型接着剤あるいは紫外線硬化型接着剤などが用いられる。
【００１２】
上記のような光アイソレータは、従来から用いられている光アイソレータであり、通常は出力が数十ミリワット程度の光を用いた光通信システムに多く用いられている。
【００１３】
一方、光アンプ等を用いる光通信システムにおいては、数百ミリワット程度の高出力のレーザ光が用いられている。光路面に光学接着剤を有する光アイソレータを高出力のレーザ光を用いる光通信システムで使用した場合には、接着剤の変質の可能性があり、信頼性に問題が生じる。
【００１４】
それに対して、特開２００５−１８１７６０号公報には、光路面に接着剤が無い光アイソレータが開示されている。この光アイソレータは、板状の偏光子と、板状のファラデー回転子とを並べてその両端部を一対の基板で保持する構造であって、対向する２枚の取り付け基板にそれぞれ溝状の凹部を形成し、凹部に偏光子、ファラデー回転子の端部を保持して接着剤で固定した光アイソレータが開示されている。
【００１５】
この光アイソレータは、第１の偏光子、ファラデー回転子、第２の偏光子を保持する２枚の基板を準備し、２枚の基板の対向する面に凹部を形成して接着剤を塗布し、第１の偏光子、ファラデー回転子、第２の偏光子の、それぞれの両端部を２枚の基板の凹部に挟み込み、所定の時間、所定の温度に加熱して接着剤を硬化させる、という手順で製造される。
【００１６】
また、特開平４−３３３８１８号公報には、接着剤の代わりに低融点ガラスなどのガラス材を用いた光アイソレータが開示されている。この光アイソレータは、偏光子とファラデー回転子とをそれぞれの外周部において第１のガラス材で互いに固着すると共に、ファラデー回転子と検光子をそれぞれの外周部において第２のガラス材で磁石に固着して構成したものである。
【００１７】
この光アイソレータは、予め第１、第２のガラス材を格子状に形成したガラスタブレットとして用意しておき、偏光子とファラデー回転子の間、およびファラデー回転子と検光子との間にガラスタブレットを重ね合わせ、偏光子および検光子に形成した格子状の溝部に、それぞれガラスタブレットを挿入するように位置合わせした後、所定の温度でガラス材を加熱することにより光学素子を接合し、その後光学素子を個片に切断する手順で製造される。
【先行技術文献】
【特許文献】
【００１８】
【特許文献１】特開２００７−３０９９６７号公報
【特許文献２】特開２００５−１８１７６０号公報
【特許文献３】特開平４−３３３８１８号公報
【発明の概要】
【発明が解決しようとする課題】
【００１９】
特許文献１に開示された光アイソレータは、光学接着剤を用いて光学素子同士を接着し、一体化したものであり、第１の偏光子とフアラデー回転子の接合面、フアラデー回転子と第２の偏光子の接合面に接着剤が塗布されている。従って、この光アイソレータは、出力が数十ミリワット程度の光を用いた光通信システムに使用する限りにおいては問題ないが、高出力のレーザ光を用いる通信システムで使用した場合には、接着剤の変質の可能性があり、信頼性に問題が生じる。
【００２０】
図１０は、特許文献２に開示された従来の光アイソレー夕の構成を示す図である。この光アイソレー夕１は、２枚の対向する取り付け基板４の間に２個の偏光子２と、これらの各偏光子２の間に配置される一枚のファラデー回転子３の計３個の光学素子が、空隙５を介して積層して構成されている。
【００２１】
しかしながら、この構成では、積層された光学素子の光路方向（光軸方向）の距離（厚み）が増してしまう。また、光学素子を固着するための固定部材が邪魔になり光学部品の小型化の妨げとなるという問題点があった。
【００２２】
また、特許文献３に開示された光アイソレー夕によれば、理想的には、平板状ファラデー回転子と偏光子との間に空隙が形成されることはなくなることになる。しかしながら、実際には、ガラスタブレット及び溝部をいかに高精度に加工したとしても、格子状の溝部に低融点ガラスを過不足なく充填することは難しい。例えば、溝部に対してガラス材が多い場合には、溝から溢れて、平板状ファラデー回転子と偏光子との間に流れ出し、平板状ファラデー回転子と偏光子の間に隙間を生じることとなり、逆に、溝部に対してガラス材が少ない場合には、接合不足を生じることになる。
【００２３】
そこで、本発明は、高出力光に適用できる小型の光アイソレー夕などの光学部品及びその製造方法を提供する。また、汎用的な製造設備により製造可能で安価な光アイソレー夕などの光学部品の製造方法を提供する。
【課題を解決するための手段】
【００２４】
本願の第１の発明においては、
少なくとも２つの平板状の光学素子が積層された光学部品の製造方法であって、
前記それぞれの光学素子は、光路方向前後に設けられた前後面、及び前記前後面を取り囲む側面を有し、
前記前後面には、光が通過する光路域と、光が通過しない非光路域を有し、隣接する前記光学素子の対向する前記前後面の少なくとも一方には、前記側面につながる凹部が設けられており、以下のステップを備えたことを特徴とする。
（１）前記平板状の光学素子が少なくとも２つ取り出せる光学材料を少なくとも２つ準備し、予め定められた順序に配置するステップ、
（２）隣接する前記光学素子の前記前後面を互いに圧接するステップ、
（３）前記ステップ（２）の後に、前記凹部に対して、前記側面からエネルギー硬化型の接着剤を充填するステップ、
（４）前記ステップ（３）の後に、前記接着剤に硬化エネルギーを加えて、前記接着剤を硬化させるステップ、
（５）前記ステップ（４）の後に、前記光学材料を切断して個々の光学部品を得るステップ。
【００２５】
本願の第２の発明においては、第１の発明において、前記凹部は、前記前後面の非光路域に設けられていることを特徴とする。
【００２６】
本願の第３の発明においては、第１の発明または第２の発明の何れかの発明において、前記凹部は、少なくとも１つの溝から成り、前記溝の幅は０.００５ｍｍ〜０．５ｍｍ、深さは０．００１ｍｍ〜０．１ｍｍであることを特徴とする。
【００２７】
本願の第４の発明においては、第１の発明乃至第３の発明の何れかの発明において、前記接着剤は、常温における粘度が１０〜１０５ｍＰａ・ｓであることを特徴とする。
【００２８】
本願の第５の発明においては、第１の発明乃至第４の発明の何れかの発明において、前記少なくとも２つの平板状の光学素子の前記光路面を圧接する圧力は、１０４Ｐａ〜１０８Ｐａであることを特徴とする。
【００２９】
本願の第６の発明においては、第１の発明乃至第５の発明の何れかの発明において、少なくとも１つの前記平板状の光学素子に、反射防止膜を施すことを特徴とする。
【発明の効果】
【００３０】
本発明によれば、高出力光に適用できる小型の光アイソレー夕などの光学部品を提供できるようになる。また、汎用的な製造設備により製造可能で安価な光アイソレー夕などの光学部品を提供することができるようになる。
【図面の簡単な説明】
【００３１】
【図１】本発明の製造方法により製造される光学部品の一実施例の構成を示す図である。
【図２】平板状の光学素子を含む光学材料の準備工程を説明する模式図である。
【図３】図２の準備工程により製作される光学材料を示す図である。
【図４】本発明の光学部品の製造方法を示す工程図である。
【図５】圧接時の押圧力と圧接状態を評価した結果の関係を示す図である。
【図６】本発明の製造方法により製造される光学部品の他の実施例の構成を示す図である。
【図７】図１の光学部品の構成を適用した光アイソレータモジュールの構造を示す図である。
【図８】本発明の光学部品と比較例の光学部品の寸法を対比した図である。
【図９】本発明の製造方法により製造される光学部品を適用した光アイソレータモジュールの他の構造を示す図である。
【図１０】従来の光アイソレータの構成を示す図である。
【発明を実施するための形態】
【００３２】
以下、本発明を実施するための形態について、図１〜図９を参照し実施例に基づいて説明する。ただし、本発明はこれら実施例に限定されるものではない。
【００３３】
図１は、本発明の製造方法により製造される光学部品の一実施例の構成を示す断面図であり、図１（ａ）は光学部品１０の平面図、図１（ｂ）は図１（ａ）におけるA−A断面図である。図１に示すように、光学部品１０は、複数の平板状の光学素子１２、１４、１６が積層されて構成される。光学部品１０が光アイソレータの場合、通信光が透過する方向から順に偏光子（光学素子１２）、ファラデー回転子（光学素子１４）、検光子として機能する偏光子（光学素子１６）を積層して構成する。
【００３４】
それぞれの光学素子１２、１４、１６は、光路方向（図中矢印Ｂ方向）の前後に設けられた前後面１２ａ、１４ａ、１６ａと、それらの前後面１２ａ、１４ａ、１６ａを取り囲む側面１２ｂ、１４ｂ、１６ｂと、を有し、前後面１２ａ、１４ａ、１６ａには、光が通過する光路域１２ｃ、１４ｃ、１６ｃと、光が通過しない非光路域１２ｄ、１４ｄ、１６ｄを有している。
【００３５】
ここで、光路域とは、ガウシアン形状の強度分布の光において、光の中心付近の最大強度ｅに対して、光の強度が１／ｅ２以上となっている領域（図中の点線で示した領域）のことである。
【００３６】
隣接する光学素子１２、１４、１６のそれぞれ対向する前後面１２ａ、１４ａ、１６ａの少なくとも一方には、側面１２ｂ、１４ｂ、１６ｂにつながる凹部１９が設けられている。図１においては、光学素子１４に対向する光学素子１２と１６の前後面１２ａ、１６ａにそれぞれ側面１２ｂ、１６ｂにつながる凹部１９が設けられている。この凹部１９には後述するようにエネルギー硬化型の接着剤１８が充填される。また、光学素子１２、１４、１６の両側面には、それぞれ平板２０が設けられる。平板２０はエネルギー硬化型の接着剤１８により光学素子１２、１４、１６の両側面に接着され、光学素子１２、１４、１６が平板２０に保持される。
【００３７】
このように本発明にかかる製造方法により製造される光学部品１０は、少なくとも２つの平板状の光学素子が積層されたものであって、それぞれの光学素子は、光路方向前後に設けられた前後面、及び前後面を取り囲む側面を有し、前後面には、光が通過する光路域と、光が通過しない非光路域を有し、隣接する光学素子の対向する前後面の少なくとも一方には、側面につながる凹部が設けられているものである。
【００３８】
以下、上記のような光学部品１０を製造する本発明にかかる製造方法の一実施例について説明する。
図２（ａ）に示すような基板を「基板状の光学材料」、図２（ｂ）に示すような大板を「大板状の光学材料」、図２（ｃ）に示すような短冊状に切断された光学材料を「短冊状の光学材料」という。短冊状の光学材料は更に切断され、個々の光学素子となる。
【００３９】
図２は、本発明の製造方法に用いられる平板状の光学素子を含む光学材料の準備工程を説明する模式図であり、図３は、図２の準備工程によって製作される短冊状の光学材料を示す図である。図２において（ａ）は偏光子、ファラデー回転子等の基板状の光学材料を示し、（ｂ）は基板上の光学材料に凹部を形成した大板状の光学材料を示し、（ｃ）は大板状の光学材料を短冊状に切断する切断工程を示す図である。図３において（ａ）は偏光子用である短冊状の光学材料を示し、（ｂ）はファラデー回転子用である短冊状の光学材料示す図である。
【００４０】
図２（ａ）に示すように、基板状の光学材料３１２，３１６は、１片が１１ｍｍの方形で、厚さが０．２ｍｍの平板状の偏光子用のガラス材であり、これらの基板状の光学材料３１２、３１６は、所定の平面度に研磨されている。研磨による平面度は、例えば、λ／２ないしλ／１０（λ＝６３３ｎｍ）である。
【００４１】
偏光子用である基板状の光学材料３１２、３１６には、図２（ｂ）に示すように格子状に凹部２１９がダイシングマシンにより加工され、大板状の光学材料２１２，２１６となる。大板状の光学材料１１２、１１６は、図２（ｃ）に示すように、短冊状に切断され、短冊状の光学材料１１２、１１６となる。ファラデー回転子用である基板状の光学材料３１４は、１片が１１ｍｍの方形で、厚さが０．４ｍｍの平板状の永久磁化されたラッチ型のガーネット材である。このファラデー回転子用である基板状の光学材料３１４には、凹部は加工されずに、短冊状に切断され、短冊状の光学材料１１４となる。
【００４２】
図３（ａ）には、偏光子用である短冊状の光学材料１１２，１１６の平面図（上段）と側面図（下段）が示されており、図３（ｂ）には、ファラデー回転子用である短冊状の光学材料１１４の平面図（上段）と側面図（下段）が示されている。  
【００４３】
図４は、本発明の光学部品の製造方法を示す工程図であり、図中の（ａ）〜（ｉ）は各製造工程における光学材料の状態を示す図である。なお、図４（ａ）〜（ｉ）には理解を助けるため必要に応じて上段に平面図、下段に側面図を図示している。
【００４４】
偏光子用である短冊状の光学材料１１２，１１６、ファラデー回転子用である短冊状の光学材料１１４を、図４（ａ）に示すように、把持具２４上に下から光学材料１１２、光学材料１１４、光学材料１１６の順にそれぞれの前後面が接するように重ねて配置する。次いで、図４（ｂ）に示すように、重ねて配置された光学材料の１１２、１１４、１１６の上に把持具２５を重ね、把持具２４、２５に所定の圧力（例えば、１０５Ｐａ）を加え、光学材料の１１２、１１４、１１６を圧接する。
【００４５】
ここでいう圧接とは、隣接する光学材料又は光学部品の前後面を接触させて押圧することである。なお、本願発明では、圧接といえども、ナノメータレベルでの接触までを意図しているわけではなく、本願発明の光学部品の使用に影響を与えないレベルの非接触（例えば、０．０１ｍｍ以下の光学材料間の微細な隙間や屈折率整合剤等の極薄膜の存在を含む）を排除するものではない。この圧接により、凹部に充填した接着剤を、隣接する光学材料又は光学部品の前後面との間に流れ出すことを防止することができる。
【００４６】
図５は、光学材料の１１２、１１４、１１６を圧接する際の押圧力と短冊状の光学材料の圧接状態を評価した結果を示す図である。図５に示すように、圧接時の押圧力が１０３  Ｐａ以下では、側面より接着剤を塗布し、凹部１１９に接着剤を充填しようとするときに、接着剤の一部が、凹部１１９から隣接する短冊状の光学材料の前後面の界面へ流れ出しが確認されたため、良好な圧接状態とはいえない。２＊１０８Ｐａ以上では、光学材料１１２、１１４、１１６にクラックや欠けなどの微細な損傷が生じたため、良好な圧接状態とはいえない。１０４Ｐａ〜１０８Ｐａでは、接着剤の凹部からの流れ出しは無く、また光学材料の微細な損傷も確認されなかったので、良好な圧接状態と考えられる。
【００４７】
圧接を終えると、図４（ｃ）に示すように圧接された光学材料の１１２、１１４、１１６の側面に接着剤１８を塗布する。接着剤１８は毛細管現象を利用して凹部１１９に充填される。凹部１１９に接着剤１８を過不足なく充填するためには、接着剤１８の粘度は常温（２３±５°Ｃ）における粘度が１０２ｍＰａ・ｓ〜１０４ｍＰａ・ｓ（日本工業規格ＪＩＳ  K７１１７−２／対応国際規格ＩＳＯ  ３２１９による）であることが好ましい。本実施例で用いた接着剤の粘度は２５０ｍＰａ・ｓである。
【００４８】
図４（ｄ）は、凹部１１９への接着剤１８の充填が完了した状態を示している。ここで、凹部１１９に充填する接着剤１８として本実施例では紫外線硬化型のエポキシ系接着剤を用いたが、他の硬化エネルギーで硬化する（熱硬化型等）エネルギー硬化型の接着剤でもよい。
【００４９】
凹部１１９への接着剤１８の充填が完了すると、図４（ｅ）に示すように、圧接された光学材料１１２、１１４、１１６の側面に平板１２０を配置する。光学材料１１２、１１４，１１６の側面と平板１２０を接着するには、光学材料１１２、１１４、１１６と平板１２０の間には、平板１２０全体に接着剤が広がる程度の接着剤の量があること必要である。  
【００５０】
その後、図４（ｆ）に示すように、圧接された光学材料１１２、１１４、１１６の反対側の側面にも接着剤１８を塗布して平板１２０を配置する。平板１２０は、本実施例においては、ホウケイ酸ガラスを用い、接着剤１８の厚さは１〜５μｍ程度とした。なお、平板１２０は金属やセラミックのような紫外線を通さない材質のものでもよい。
【００５１】
その後、図４（ｇ）に示すように、平板１２０を貼り付けた光学材料１１２、１１４、１１６の一方の側面から紫外線を照射する。紫外線の照射条件は、１０ｍＷ／ｃｍ２、照射時間は５分とした。その後、平板１２０を貼り付けた光学材料１１２、１１４，１１６の他方の側面からも紫外線を照射する（図４（ｈ）参照）。紫外線照射の条件は同じである。このように両側面から合計１０分間、紫外線を照射にすることにより接着剤１８を硬化させた。接着剤１８が熱硬化型の場合には、所定の温度にて所定時間、硬化させる。所定の温度は、必ずしも高温である必要はなく、常温もしくはそれ以下の温度でもよい。
【００５２】
その後、図４（ｉ）の平面図（ｉ１）に示すように、個々の光学部品に切断し、図１の光学部品１０を得る。図４（ｉ）の側面図（ｉ２）を参照すると、切断線２１はやや傾斜している。傾斜角は垂直方向から６度ないし８度である。この傾斜は、光学部品が貼り付けられるフェルールの傾斜に合わせたものである。
【００５３】
光学部品１０においては、光学素子１２、１４、１６の両側には接着剤１８により平板２０が接合されている。
光学素子１２，１４，１６の前後面（図１の１２ａ、１４ａ、１６ａ参照）の一辺は１ｍｍ未満であることが好ましい。本実施例では、前後面の一辺の長さは０．７ｍｍ程度としている。
凹部１９の幅は０.００５ｍｍ〜０.２ｍｍ、深さは０.００５ｍｍ〜０.０５ｍｍの範囲内であることが好ましく、本実施例では、凹部１９の幅は０．０５ｍｍ、深さは０．０２ｍｍとしている。
また、凹部１９は種々の形状とすることができ、その断面形状がコの字状、Ｕ字状、弧状などであってよい。
【００５４】
図６は、本発明の光学部品の他の実施例の構成を示す図であり、（ａ）は光学部品１００の平面図、（ｂ）は光学部品１００のＣ−Ｃ断面図である。図６の光学部品１００は、光学素子１２、１４、１６の４方の側面の全てに平板２０を配置したものである。
【００５５】
光学素子１２、１４、１６の平板２０が設けられていないそれぞれの側面と平板２０の間にエネルギー硬化型の接着剤を塗布し、その後、塗布された接着剤に硬化エネルギーを加えて硬化させる。これにより、光学素子１０、１２、１４が４つの側面において平板２０に保持される。平板２０には、例えば、ガラス板を用いる。なお、図中に記載した寸法は一例であり図１の光学部品１０も対応部分は同じ寸法であってよい。
また、図１、図６の構成と異なり、４方の側面の全てに平板２０を設けない構成であってもよい。
【００５６】
図７は、本発明の光アイソレータモジュールの構造を示す図である。図７において（ａ）は光アイソレータモジュール４０の上面図、（ｂ）は光アイソレータモジュール４０のＤ−Ｄ断面図である。この光アイソレータモジュール４０は、フェルール４４上にガラススペーサ４２を介して、図１と同様の構成の光アイソレータ３０が接着剤により接合されている。
【００５７】
フェルール４４は、光ファイバ４５を保持・保護するものであり、十分な機械的強度を有するジルコニアなどで形成される。光ファイバ４５を通過するレーザ光は図中矢印Ｂのように光アイソレータ３０に入射する。入射したレーザ光は点線４６のように光アイソレータ内を進行する。進行するレーザ光のビーム径は、図示のようにその進行距離に応じて徐々に大きくなる。
【００５８】
光アイソレータ３０は、図７（ｂ）に示すように、偏光ガラス３２、ファラデー回転子３４、偏光ガラス３６から構成されている。
【００５９】
偏光ガラス３２、３６、ファラデー回転子３４は、図１において説明したと同様に、光路方向前後に設けられた前後面、及び前後面を取り囲む側面を有し、前後面には、光が通過する光路域と、光が通過しない非光路域を有し、隣接する光学素子の対向する前後面の少なくとも一方には、側面につながる凹部３９が設けられている。
【００６０】
偏光ガラス３２、ファラデー回転子３４、偏光ガラス３６は所定の順序に配置され、圧接された後、凹部３９にはエネルギー硬化型の接着剤１８を充填し、接着剤１８に硬化エネルギーを加え、接着剤１８を硬化することにより接合されている。また、偏光ガラス３２、ファラデー回転子３４、偏光ガラス３６は、その両側面にエネルギー硬化型の接着剤１８により固着されたたガラス材からなる平板２０により保持されている。
【００６１】
図８は、本発明の光学部品と比較例の光学部品の寸法を対比した図である。（ａ）は図７に示す光アイソレータモジュールの構成を示し、（ｂ）は比較例として、特許文献２の光アイソレータを用いた光アイソレータモジュールである。
【００６２】
図８（ａ）、（ｂ）において、偏光ガラス１２，１６、ファラデー回転子１４の厚みは同じ寸法として対比している。光アイソレータは光ファイバ４５を保持したフェルール４４の端面に接合されている。レーザ光が、光ファイバ４５の端部から光アイソレータに入射され、偏光ガラス１２、ファラデー回転子１４、偏光ガラス１６の屈折率に応じて屈折しながら光アイソレータ内を点線４６のように進行する。レーザ光のビーム径は、図示のようにその進行距離に応じて徐々に大きくなる。
【００６３】
図８（ａ）に示す本発明の光アイソレータモジュールにおいては、偏光ガラス１２、ファラデー回転子１４、偏光ガラス１６は、それぞれの光学素子の隣接する前後面が圧接されており、レーザ光の進行方向の長さＬ１は１ｍｍである。この長さＬ１（１ｍｍ）を進行する間に拡大するレーザ光のビーム径を考慮して、偏光ガラス１２、ファラデー回転子１４、偏光ガラス１６の一辺の幅ｘ１は０．７ｍｍとなる。
【００６４】
これに対して図８（ｂ）に示す比較例においては、偏光ガラス１２、ファラデー回転子１４、偏光ガラス１６の間にはそれぞれ空隙が存在し、図８（ａ）の本発明の光アイソレータモジュールと対比すると、レーザ光の進行方向の長さＬ２は１．４ｍｍになる。この長さを進行する間に拡大するレーザ光のビーム径を考慮すると、偏光ガラス１２、ファラデー回転子１４、偏光ガラス１６の一辺の幅ｘ２は１．０ｍｍとなる。
【００６５】
従って、本発明の光アイソレータと比較例の光アイソレータの寸法比を体積比に換算すると、０．７＊０．７＊１．０／（１．０＊１．０＊１．４）＝０．３５となり、本発明の光学部品の体積は、比較例の光学部品の約１／３になり、光学部品（光アイソレータ）の小型化を実現できることが分かる。
【００６６】
図９は偏光無依存型光アイソレータモジュールの構造の１例を示す図である。図９において、（ａ）は光アイソレータ５０の上面図、（ｂ）は光アイソレータモジュール６０のＥ−Ｅ断面図である。この光アイソレータモジュール６０は、フェルール６３上にガラススペーサ７０を介して、偏光無依存型光アイソレータ５０が接着剤により接合されている。
【００６７】
片方の光ファイバ６１から出射したレーザ光は図中矢印Ｃのように光アイソレータ５０に入射する。入射したレーザ光は点線のように光アイソレータ内を進行する。光アイソレータ５０から出射した光はレンズ６４でコリメート光となりミラー６５で反射され、再度レンズ６４を通り、光アイソレータ５０に入射、進行し、もう片方の光ファイバ６２に入射する。
【００６８】
光アイソレータモジュール６０は、図９に示すように、偏光子として機能する平板型の複屈折結晶５２、偏光方向を回転させる機能を有する２枚の１／２波長板５７と５８、永久磁化されたラッチ型のガーネット結晶からなるファラデー回転子５４、偏光子として機能する複屈折結晶５６を積層して圧接することにより構成している。複屈折結晶５２、ファラデー回転子５４、１／２波長板５７と５８、複屈折結晶５６の各光学素子は、先に述べたように、例えば、縦横１１ｍｍの平板から格子状に所定の大きさに切断されたものが１つの光学素子として用いられている。複屈折結晶としてはＹＶＯ４、１／２波長板としては水晶板などが用いられる。
【００６９】
複屈折結晶５２、５６、ファラデー回転子５４は、光路方向前後に設けられた前後面、及び前後面を取り囲む側面を有し、前後面には、光が通過する光路域と、光が通過しない非光路域を有し、複屈折結晶５２の１／２波長板５７と５８に対向する前後面、ファラデー回転子の１／２波長板５７と５８に対向する前後面、及び複屈折結晶５６のファラデー回転子５４に対向する前後面には、側面につながる凹部５１が設けられている。
【００７０】
複屈折結晶５２、１／２波長板５７と５８、ファラデー回転子５４、複屈折結晶５６は所定の順序に配置され、圧接された後、凹部５１にはエネルギー硬化型の接着剤１８を充填し、接着剤１８に硬化エネルギーを加え、接着剤１８を硬化することにより接合されている。また、複屈折結晶５２、ファラデー回転子５４、複屈折結晶５６はその両側面に、１／２波長板５７、５８はその片側面に、エネルギー硬化型の接着剤１８により固着されたガラス材等からなる平板５９により保持されている。
【００７１】
以上の説明は、大板の光学材料を短冊状の光学材料に切断した後に、圧接、接着剤の充填、接着剤の硬化を行って接合し、最後に個々の光学素子に切断する例を説明したが、本発明はこれに限られない。大板の光学材料の状態、短冊状の光学材料の状態、個片の光学素子の状態、いずれの状態でも本発明にかかる製造方法を適用することができる。
【００７２】
また、短冊状に切断する光学材料の幅も、個々の光学素子の１列分を含むように切断してもよく、個々の光学素子の複数列を含むように切断してもよい。そのような場合でも、基本となる光学素子の圧接、接着剤の充填、接着剤の硬化の工程の間に、必要となる他の適切な工程を追加すればよい。
【００７３】
以上説明したように本発明によれば、高出力光に適用できる小型の光アイソレー夕などの光学部品を提供できるようになる。また、汎用的な製造設備により製造可能で安価な光アイソレー夕などの光学部品を提供することができるようになる。
【００７４】
上述した実施の形態はすべての点で例示であって制限的なものではない。本発明の範囲は、上記した説明ではなくて特許請求の範囲によって示され、特許請求の範囲と均等の意味および範囲内でのすべての変更が含まれる。
【符号の説明】
【００７５】
１０、１００・・・光学部品
１２、１４、１６・・・光学素子
１１２、１１４、１１６・・・短冊状の光学材料
２１２、２１６・・・大板状の光学材料
３１２、３１４、３１６・・・基板状の光学材料
１２ａ、１４ａ、１６ａ・・・光学素子における前後面
１１２ａ、１１４ａ、１１６ａ・・・短冊状の光学材料における前後面
１２ｂ、１４ｂ、１６ｂ・・・側面
１１２ｂ、１１４ｂ、１１６ｂ・・・短冊状の光学材料における側面
１２ｃ、１４ｃ、１６ｃ・・・光路域
１２ｄ、１４ｄ、１６ｄ・・・非光路域
１８・・・接着剤
１９・・・光学素子における凹部
１１９・・・短冊状の光学材料における凹部
２１９・・・大板状の光学材料における凹部
２０・・・光学素子の側面に配置される平板
１２０・・・短冊状の光学材料の側面に配置される平板
２１・・・切断線
２３・・・符号
２４、２５・・・把持具
３０・・・偏光依存型光アイソレータ
３２・・・偏光ガラス
３４・・・ファラデー回転子
３６・・・偏光ガラス
３９・・・凹部
４０・・・偏光依存型光アイソレータモジュール
４５・・・光ファイバ
４６・・・レーザ光を示す点線
５０・・・偏光無依存型光アイソレータ
５１・・・凹部
５２・・・複屈折結晶
５４・・・ファラデー回転子
５６・・・複屈折結晶
５７・・・１／２波長板
５８・・・１／２波長板
５９・・・平板
６０・・・偏光無依存型光アイソレータモジュール
６１・・・光ファイバ
６２・・・光ファイバ
６３・・・フェルール
６４・・・レンズ
６５・・・ミラー
７０・・・ガラススペーサ
【要約】      （修正有）【課題】高出力光に適用できる小型の光アイソレー夕などの光学部品およびその製造方法を提供する。【解決手段】光学素子１２，１４，１６は、光路方向前後に設けられた前後面、及び前後面を取り囲む側面を有し、前後面には、光が通過する光路域と、光が通過しない非光路域を有し、隣接する光学素子１２，１４，１６の対向する前記前後面の少なくとも一方には、側面につながる凹部１９が設けられており、少なくとも２つの前記平板状の光学素子１２，１４，１６を準備し、予め定められた順序に配置、隣接する前記光学素子１２，１４，１６の前記前後面を互いに圧接、前記凹部１９に対して、前記側面からエネルギー硬化型の接着剤を充填、前記接着剤に硬化エネルギーを加えて、前記接着剤を硬化させる製造方法。【選択図】図１【図２】
0005848474.tif 000002
【図１】
0005848474.tif 000003
【図３】
0005848474.tif 000004
【図４】
0005848474.tif 000005
【図５】
0005848474.tif 000006
【図６】
0005848474.tif 000007
【図７】
0005848474.tif 000008
【図８】
0005848474.tif 000009
【図９】
0005848474.tif 000010
【図１０】
0005848474.tif 000011